(57)【要約】  【課題】扉ポケットの上端による食品の落下防止を図るとともに、他部品との調和が取れた高品位の意匠性を高めた冷蔵庫を提供する。  【解決手段】扉ポケット９の前壁１１に上部に丸みを帯びたピース１２を設け、庫内棚８の手前側に長尺食品１７を置いた際でも、食品フランジ１８が丸みを帯びたピース１２上を沿うように動くので、長尺食品１７が庫内棚８から落下することが無く、またピース１２を別体で装飾したことで、デザイン性にも優れた高品位の冷蔵庫を提供することができる。【選択図】図２
2007147222.tif 000002
【特許請求の範囲】
【請求項１】
前面開口部を有する筐体と、前記筐体に開閉自在に備えられた扉と、前記扉に備えられた食品収納可能なポケットと、前記筐体に備えられた庫内棚と、前記ポケットの前壁に別体にピースを有し、前記ピースの上端部を曲面形状としたことを特徴とする冷蔵庫。
【請求項２】
前記ポケットを透明樹脂で形成し、前記ピースに装飾を施したことを特徴とする請求項１に記載の冷蔵庫。
【請求項３】
前記庫内棚の前面部に前記ピースと同様の装飾部材を備えたことを特徴とする請求項２に記載の冷蔵庫。
【請求項４】
前記ポケットに収納食品のがたつきを防止するストッパを設けたことを特徴とする請求項１から３のいずれか一項に記載の冷蔵庫。
【請求項５】
前記ストッパは、前記ピースより柔らかい材料を用いたことを特徴とする請求項４に記載の冷蔵庫。
【請求項６】
前記ポケットの前壁に装飾模様を施したことを特徴とする請求項４または５に記載の冷蔵庫。
【発明の詳細な説明】
【技術分野】
【０００１】
本発明は、扉ポケットを備えた冷蔵庫に関するものである。
【背景技術】
【０００２】
近年、冷蔵庫の大容量化が求められ、多種多様な食品を収納する位置もひとところに留まらない。例えば、一般には扉ポケットに立てて収納するようなＰＥＴボトルやビール瓶等の長尺食品を筐体側の庫内棚に横置きする場合も増えている。しかしながら筐体側の庫内棚と扉ポケットの上端或いは下端との位置関係によっては扉ポケットの前壁に長尺食品の先端部分が引っかかり、扉を開ける際に長尺食品が扉ポケットの前壁に引っ張られて落下するという現象が考えられる。そして、扉ポケットの前壁を食品が引っかからない形状にすることで上記課題を回避しているものがある（例えば、特許文献１参照）。
【０００３】
以下、図面を参照しながら、上記従来の扉ポケットを備えた冷蔵庫について説明する。
【０００４】
図６は、特許文献１に記載された従来の冷蔵庫の中央断面図である。図７は従来の冷蔵庫の食品フランジと扉ポケットとの断面図である。図８は従来の他の冷蔵庫の食品フランジと扉ポケットとの断面図である。
【０００５】
図６から図８において、冷蔵庫１０１の上部には冷蔵室１０２を有し、前方には回転式の冷蔵室扉１０３を備えている。冷蔵室１０２内には複数の庫内棚１０４を有し、冷蔵室扉１０３の内側には複数の扉ポケット１０５を配置している。そして、図７に示すように、庫内棚１０４に載せた長尺食品１０６（ＰＥＴボトル、ビール瓶など）を庫内棚１０４の手前側に置き、冷蔵室扉１０３を勢いよく閉めた場合、扉ポケット１０５の前壁１０７を食品フランジ１０８が乗り越えることがある。そして使用者が気付かずに冷蔵室扉１０３を開けた際に食品フランジ１０８が引っ掛かっているので、冷蔵室扉１０３の動きに連動し、扉ポケット１０５により長尺食品１０６が前方に引っ張られ、庫内棚１０４の上を滑り落下する場合がある。そして上記課題を解決するために、図８に示すように、扉ポケット１０５の前壁１０９の上部を庫内側に傾斜させたフレア形状１１０を形成している。これにより、長尺食品１０６の食品フランジ１０８が扉ポケット１０５の前壁１０７を乗り越えた場合でも、食品フランジ１０８がフレア形状１１０の上を沿うように逃げていき、食品落下の危険を回避することができる。
【特許文献１】特開２００２−３９６７１号公報
【発明の開示】
【発明が解決しようとする課題】
【０００６】
しかしながら、上記従来の構成では、扉ポケットの上端がフレア形状をしており、長尺食品の引っ掛かりを逃げようとすればするほど、フレア形状の傾斜を緩くする必要があり、フレア形状が大きくなってしまい、外観上、デザイン上で品位の低下を招くという課題を有していた。また昨今の冷蔵庫は、よりデザイン性や、品位を求められているため、設計上の障害ともなる。
【０００７】
本発明は上記従来の課題を解決するもので、扉ポケットによる保存食品の落下を防止するとともに、デザイン性、品位を高めた冷蔵庫を提供することを目的とする。
【課題を解決するための手段】
【０００８】
上記従来の課題を解決するために本発明の冷蔵庫は、前面開口部を有する筐体と、前記筐体に開閉自在に備えられた扉と、前記扉に備えられた食品収納可能なポケットと、前記筐体に備えられた庫内棚と、前記ポケットの前壁に別体にピースを有し、前記ピースの上端部を曲面形状としたものである。
【０００９】
これによって、フレア形状の傾斜を緩くする為の距離を確保する必要がなく、長尺食品の引っ掛かりを逃げることができ、また外観上、デザイン上で品位を保つことができる。さらに、曲面により構成されたデザインなので柔らかいイメージを与えることができる。
【発明の効果】
【００１０】
本発明の冷蔵庫は、ポケットの前壁に別体にピースを有し、前記ピースの上端部を曲面形状としたことにより、扉による長尺食品の落下を防止することができるとともに、よりデザイン性を向上させ高品位の冷蔵庫を提供することができる。
【発明を実施するための最良の形態】
【００１１】
請求項１に記載の発明は、前面開口部を有する筐体と、前記筐体に開閉自在に備えられた扉と、前記扉に備えられた食品収納可能なポケットと、前記筐体に備えられた庫内棚と、前記ポケットの前壁に別体にピースを有し、前記ピースの上端部を曲面形状としたものであり、庫内棚の開口部付近に長尺の食品（ＰＥＴボトル、ビール瓶など）を置いていても、食品の引っかかり部がなく、食品の落下を防止することができる。また曲面により構成されたデザインなので柔らかいイメージを与えることができ、高品質の冷蔵庫を提供することができる。
【００１２】
請求項２に記載の発明は、請求項１に記載の発明において、前記ポケットを透明樹脂で形成し、前記ピースに装飾を施したものであり、デザイン性を向上させ高級感を増し、複数のポケットに同様のピースを施すとより調和が得られることとなり、より安全で高品位な冷蔵庫を提供することができる。
【００１３】
請求項３に記載の発明は、請求項２に記載の発明において、前記庫内棚の前面部に前記ピースと同様の装飾部材を備えたものであり、使用者が冷蔵庫扉を開けた時の庫内棚と扉ポケットのデザインの調和がより高められることとなり、さらに高品位な冷蔵庫を提供することができる。
【００１４】
請求項４に記載の発明は、請求項１から３のいずれか一項に記載の発明において、前記ポケットに収納食品のがたつきを防止するストッパを設けたものであり、扉を開け閉めした際でも、ポケットに入れた食品のがたつきを防止し、より整理よく食品を収納できることとなり、より高品位な冷蔵庫を提供することができる。
【００１５】
請求項５に記載の発明は、請求項４に記載の発明において、前記ストッパは、前記ピースより柔らかい材料を用いたものであり、食品をとめる位置を変える為にストッパを左右に動かして、片方が磨り減ったとしても装飾したピースが傷つくことがないため、デザインの品位、高級感を損なうことなく、高品位な冷蔵庫を提供することができる。
【００１６】
請求項６に記載の発明は、請求項４または５に記載の発明において、前記ポケットの前壁に装飾模様を施したものであり、ストッパを左右に動かして、前壁が擦れにより傷を発生させたとしても、模様を予め施したことで傷を目立たなくすることとなり、経年にも品位を損なわず高品位な冷蔵庫を提供することができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫中央断面図である。図２は同実施の形態における庫内棚と扉ポケットの位置関係図である。図３は同実施の形態における扉と扉ポケットとピースの分解斜視図である。図４は同実施の形態における扉ポケットにピースを取り付けた際の要部断面図である。図５は同実施の形態における扉ポケットにストッパを取り付けた際の断面図である。
【００１９】
図１から図５において、冷蔵庫１は、上部より冷蔵室２、野菜室３、冷凍室４を構成し、それぞれヒンジ式の冷蔵室扉５、引出式の野菜室扉６、引出式の冷凍室扉７を備えている。
【００２０】
冷蔵室２内には上下に複数の庫内棚８を、冷蔵室扉５の内側には上下に複数の透明樹脂で形成した扉ポケット９を備えている。庫内棚８は食品を置くことができる強度と長尺食品を横置きできる面積を有し、手前側の端面には装飾部材としての棚ピース１０を備え、棚強度の向上効果も備えている。
【００２１】
また、扉ポケット９の前壁１１の先端部にピース１２を嵌め込んでいる。具体的にはピース１２は押し出し成形したもので、断面をＣ型形状とし、上部および庫内棚８に対向する側を曲面形状に形成している。そして、前壁１１のピース１２を嵌め込む嵌合部１４は上部に段差部１３を有し、その段差はピース１２の厚みと略同一としている。また、嵌合部１４はピース１２の内面と略一致する曲面の凸形状としている。また、ピース１２の断面Ｃ型形状の両端部は中央部の曲面形状より曲率を大きくしてあり、上下方向で高さの異なる位置にピース１２の両端部が嵌合部１４に嵌め込まれる。
【００２２】
また、ピース１２は着色等の装飾を施しており、その装飾デザインは庫内棚８の手前側の端面に設けた棚ピース１０の装飾と同様としている。
【００２３】
また、扉ポケット９のピース１２を含む前壁１１には収納食品のがたつきを防止するストッパ１５を設け、ストッパ１５の取付部１６は前壁１１を左右に摺動可能に設定している。
【００２４】
そして、ストッパ１５の取付部１６の材質はピース１２の材質より柔らかいものを用いている。また、扉ポケット９の前壁１１には、着色、あるいは模様等の装飾を施してもよい。
【００２５】
なお、冷蔵室２内の庫内棚８には、ペットボトル１７の長手を奥行方向に寝かせて置ける奥行寸法を有している。
【００２６】
以上のように構成された冷蔵庫について、以下その動作、作用を説明する。
【００２７】
冷蔵室２内には上下に複数の庫内棚８を備え、ペットボトル１７の注入口のフランジ１８を手前に向けて収納する場合がある。そして冷蔵室扉５を閉じた場合、ペットボトル１７の注入口のフランジ１８が扉ポケット９の前壁１１の先端部に備えたピース１２を乗り越えてしまう場合があるが、ピース１２の断面をＣ型形状とし上部および庫内棚８に対向する側を曲面形状に形成しているので、ペットボトル１７やビール瓶などの注入口のフランジ１８とピース１２との係合を容易に解除でき、冷蔵室扉５を開けた場合のペットボトル１７やビール瓶などの落下を防止することができる。また、ピース１２を別体の曲面により構成されたデザインなので柔らかいイメージを与えることができ、高品質の冷蔵庫を提供することができる。
【００２８】
なお、ピース１２は丸みを帯びていればよく、形状は図に示したもの以外であっても、引っ掛り現象が生じない形状であればどのような形状であってもいいことは言うまでもない。
【００２９】
また、扉ポケット９を透明樹脂で形成し、ピース１２に着色等の装飾を施したものであり、デザイン性を向上させ高級感を増し、複数のポケットに同様のピースを施すとより調和が得られることとなり、より安全で高品位な冷蔵庫を提供することができる。
【００３０】
また、庫内棚８の手前側の端面には装飾部材としての棚ピース１０を備え、ピース１２と同様の装飾を施しているので、使用者が冷蔵庫扉を開けた時の庫内棚と扉ポケットのデザインの調和がより高められることとなり、さらに高品位な冷蔵庫を提供することができる。
【００３１】
なお、デザインに統一感があれば棚ピース１０は、ピース１２とは色調と質感さえあわせておけばいいのであって、材質あるいは形状は必ずしも同じものでなくても良いことは言うまでもない。
【００３２】
また、扉ポケット９のピース１２を含む前壁１１には収納食品のがたつきを防止するストッパ１５を設け、ストッパ１５の取付部１６は前壁１１を左右に摺動可能に設定しているので、冷蔵室扉５を開け閉めした際でも、扉の開閉時に食品同士の当たりにより発生する音を防止するとともに、収納性を改善することができ、より高品位で使い勝手がよい冷蔵庫を提供することができる。
【００３３】
また、ストッパ１５の取付部１６の材質はピース１２の材質より柔らかいものを用いているので、食品をとめる位置を変える為にストッパ１５を左右に動かして、摺動したとしても装飾したピース１２が傷つくことがないため、デザインの品位、高級感を損なうことなく、高品位な冷蔵庫を提供することができる。
【００３４】
また、扉ポケット９の前壁１１には、着色、あるいは模様等の装飾を施すことで、扉ポケット９の意匠性を高めることができるとともに、ストッパ１５を左右に動かして、前壁が擦れにより多少の傷を発生してしまったとしても、模様を予め施したことで傷を目立たなくすることとなり、経年にも品位を損なわず高品位な冷蔵庫を提供することができる。
【００３５】
なお、模様に関しては、例えば扉ポケット９を成型加工する際に、梨地加工を施したり、横筋模様を予めいれておくなどであるが、成型加工後に後工程で表面に加工や塗装を行なっても良いことは言うまでもない。
【産業上の利用可能性】
【００３６】
以上のように、本発明にかかる冷蔵庫は、貯蔵室の庫内棚と扉ポケットの食品引っかかりによる落下を防止するとともにデザイン性を良化させたもので、ヒンジ機構あるいは引き出し機構を有する食品収納装置にも適用できる。
【図面の簡単な説明】
【００３７】
【図１】本発明の実施の形態１における冷蔵庫中央断面図
【図２】同実施の形態における庫内棚と扉ポケットの位置関係図
【図３】同実施の形態における扉と扉ポケットとピースの分解斜視図
【図４】同実施の形態における扉ポケットにピースを取り付けた際の要部断面図
【図５】同実施の形態における扉ポケットにストッパを取り付けた際の断面図
【図６】従来の冷蔵庫の中央断面図
【図７】従来の冷蔵庫の食品フランジと扉ポケットとの断面図
【図８】従来の他の冷蔵庫の食品フランジと扉ポケットとの断面図
【符号の説明】
【００３８】
１    冷蔵庫
２    冷蔵室
５    冷蔵室扉
８    庫内棚
９    扉ポケット
１０  棚ピース
１１  前壁
１２  ピース
１５  ストッパ
【図１】
2007147222.tif 000003
【図２】
2007147222.tif 000004
【図３】
2007147222.tif 000005
【図４】
2007147222.tif 000006
【図５】
2007147222.tif 000007
【図６】
2007147222.tif 000008
【図７】
2007147222.tif 000009
【図８】
2007147222.tif 000010